(57)【要約】【課題】  粒子の応答性が悪化するのを防ぎ画素欠陥が発生するのを防ぐことができる画像表示媒体を提供する。【解決手段】  画像表示媒体１０は、表示基板１８と背面基板２８との間に黒色粒子３０及び白色粒子３２が封入された構成であり、基板間は間隙部材３６によって複数のセル３４に仕切られている。背面基板２８は、基板２６上にデータ電極２０及び絶縁層２４が積層された構成である。中央のデータ電極２０には、円弧状にくぼんだ凹部を備えた突起部２０Ａが設けられており、この凹部に粒子が集まりやすい構成とされている。【選択図】        図１
2006349767.tif 000002
【特許請求の範囲】
【請求項１】
少なくとも透光性を有する表示基板と、前記表示基板と間隙をもって対向する背面基板と、前記表示基板と前記背面基板との基板間に形成された電界に応じて移動するように当該基板間に封入された少なくとも一種類の粒子群と、を備えた画像表示媒体において、
前記背面基板に、前記粒子群の応答性の低下を防止する防止手段を備えたことを特徴とする画像表示媒体。
【請求項２】
前記防止手段は、前記背面基板の前記表示基板と対向する面の少なくとも一部に設けられた凹部であることを特徴とする請求項１記載の画像表示媒体。
【請求項３】
前記防止手段は、前記背面基板の前記表示基板と対向する面の少なくとも一部に設けられた突起部であることを特徴とする請求項１記載の画像表示媒体。
【請求項４】
前記防止手段は、前記背面基板に設けられた少なくとも１画素分の電極を分割した複数の分割電極であることを特徴とする請求項１記載の画像表示媒体。
【請求項５】
前記粒子群は、色及び帯電特性が異なる複数種類の粒子群であることを特徴とする請求項１乃至請求項４の何れか１項に記載の画像表示媒体。
【発明の詳細な説明】
【技術分野】
【０００１】
本発明は、画像表示媒体に係り、より詳しくは、基板間に電圧を印加することにより着色粒子を移動させて画像表示する繰り返し書換えが可能な画像表示媒体に関する。
【背景技術】
【０００２】
従来、メモリー性を有し繰り返し書き換えが可能な画像表示媒体として、電気泳動素子を用いた画像表示媒体（例えば特許文献１、２参照）や、着色粒子を用いた画像表示媒体（例えば特許文献３〜５参照）が知られている。このような画像表示媒体は、例えば一対の基板と、印加された電界により基板間を移動可能に基板間に封入されると共に、色及び帯電特性が異なる複数種類の粒子群と、を含んで構成される  また、基板間には、粒子が基板内の一部の領域に偏るのを防ぐため等の理由により、基板間を複数のセルに仕切るための間隙部材が設けられる。
【０００３】
このような画像表示媒体では、画像に応じた電圧を一対の基板間に印加することにより粒子を移動させ、異なる色の粒子のコントラストとして画像を表示させる。なお、電圧の印加を停止した後も、ファンデルワース力や鏡像力によって粒子は基板に付着したままとなり、画像表示は維持される。
【特許文献１】特開平１１０２１９１３５号公報
【特許文献２】特開２００１−１８８２６７号公報
【特許文献３】特開２００２−９９００２号公報
【特許文献４】特開２００３−１８６４２５号公報
【特許文献５】特開２００４−４４７７号公報
【発明の開示】
【発明が解決しようとする課題】
【０００４】
このように着色粒子を用いた画像表示媒体では、画像表示を維持している間に着色粒子の帯電量が徐々に低下すると共に、基板と着色粒子、着色粒子同士の付着性が時間の経過と共に強くなるため、着色粒子の応答性が悪化し、電圧を印加しても着色粒子が移動しづらい状態となってしまう場合がある。このような状態になった場合、その画素は画素欠陥となり画質が劣化する原因となる。
【０００５】
本発明は、上記事実に鑑みて成されたものであり、粒子の応答性が悪化するのを防ぎ画素欠陥が発生するのを防ぐことができる画像表示媒体を提供することを目的とする。
【課題を解決するための手段】
【０００６】
上記課題を解決するため請求項１記載の発明の画像表示媒体は、少なくとも透光性を有する表示基板と、前記表示基板と間隙をもって対向する背面基板と、前記表示基板と前記背面基板との基板間に形成された電界に応じて移動するように当該基板間に封入された少なくとも一種類の粒子群と、を備えた画像表示媒体において、前記背面基板に、前記粒子群の応答性の低下を防止する防止手段を備えたことを特徴とする。
【０００７】
この発明によれば、画像表示媒体は、少なくとも透光性を有する表示基板と、表示基板と間隙をもって対向する背面基板と、の基板間に、少なくとも一種類の粒子群が封入された構成である。粒子群は、表示すべき画像に応じて基板間に形成された電界に応じて移動する。
【０００８】
このような画像表示媒体では、粒子が表示基板側に移動するような電界が基板間に形成されることにより粒子の色を表示させることができる。なお、請求項５に記載したように、前記粒子群は、色及び帯電特性が異なる複数種類の粒子群である構成とすることができる。この場合、複数種類の粒子群の色のコントラストにより画像を表示することができる。また、粒子群が１種類の場合、背面基板の色を粒子群と異なる色とすることにより、背面基板の色と粒子群の色とのコントラストで画像を表示することができる。この場合、粒子が基板間を往復運動しながら隣接する画素の領域に移動させるような交番電圧を基板間に印加することにより、背面基板の色を表示することが出来る。なお、電圧の印加方法については、例えば特開２００４−８６０９５号公報に記載された方法を用いることができる。
【０００９】
このような画像表示媒体において、防止手段は、粒子群の応答性の低下を防止する。ここで、粒子の応答性とは粒子の動きやすさをいう。
【００１０】
例えば、請求項２に記載したように、前記防止手段は、前記背面基板の前記表示基板と対向する面の少なくとも一部に設けられた凹部である構成とすることができる。
【００１１】
この場合、凹部に粒子が集まりやすく、換言すれば移動しやすい粒子、すなわち応答性が良好な粒子が凹部に存在する確率を高くすることができる。この結果、応答性の良好な粒子が基板間を活発に移動して他の動きにくい粒子と衝突することにより、連鎖的に粒子の衝突が発生し、全体の粒子の応答性を良好にすることができる。このため、画素欠陥を防ぐことができる。
【００１２】
なお、例えば背面基板が、基板、電極、及び絶縁層が積層された構成とした場合、その何れに凹部を設けても良い。
【００１３】
また、請求項３に記載したように、前記防止手段は、前記背面基板の前記表示基板と対向する面の少なくとも一部に設けられた突起部である構成としてもよい。
【００１４】
この場合、突起部が設けられた領域の基板間の距離は、他の領域の基板間の距離よりも短く、電界の強度が強くなる。従って、その領域に存在する粒子が活発に移動して他の動きにくい粒子と衝突することにより、連鎖的に粒子の衝突が発生し、全体の粒子の応答性を良好にすることができる。このため、画素欠陥を防ぐことができる。
【００１５】
また、請求項４に記載したように、前記防止手段は、前記背面基板に設けられた少なくとも１画素分の電極を分割した複数の分割電極である構成としてもよい。
【００１６】
この場合、各分割電極とこれに隣接する電極との間に粒子を移動させることができる交番電圧を印加することにより、これらの電極間で粒子を移動させることができる。これを画像表示駆動の前に行うことにより、予め粒子の応答性を良好にしておくことができ、その後に画像表示駆動を行った際に画素欠陥が発生するのを防ぐことができる。
【発明の効果】
【００１７】
本発明によれば、粒子の応答性が悪化するのを防ぎ画素欠陥が発生するのを防ぐことができる、という効果を有する。
【発明を実施するための最良の形態】
【００１８】
以下、図面を参照して本発明の実施形態について詳細に説明する。
【００１９】
図１（Ａ）には、本実施形態に係る画像表示媒体１０の一部断面図を示した。同図に示すように、画像表示媒体１０は、透明な基板１２上にライン状の複数の透明の走査電極１４、透明の誘電性を有する絶縁層１６が形成された表示基板１８と、走査電極１４と直交するように対向して配置されたライン状のデータ電極２０及び透明の誘電性を有する絶縁層２４が基板２６上に形成された背面基板２８と、基板間に封入された正に帯電された黒色粒子３０及び負に帯電された白色粒子３２と、基板間を図２に示すように複数のセル３４に仕切る間隙部材３６と、で構成されている。
【００２０】
なお、図１に示す画像表示媒体１０は、図２のセル１個分のＡ−Ａ断面図である。また、図２では、間隙部材３６を明確に図示するために黒で示したが、実際は透明な部材で構成される。
【００２１】
図２に示すように、複数のライン状の走査電極１４は、図２において上下方向（走査方向Ｓ）に並置されると共に、図２において左右方向に並置された複数のライン状のデータ電極２０と直交するように対峙して配置される。各走査電極１４と各データ電極２０との交差位置が画素を構成する。なお、各電極は、例えばＩＴＯ（Ｉｎｄｉｕｍ  Ｔｉｎ  Ｏｘｉｄｅ）電極で構成される。
【００２２】
間隙部材３６は、１つの走査電極１４及び複数のデータ電極２０を含み、走査方向Ｓと直交する方向を長手方向とする長方形状のセル３４が複数個形成されるようなマス目状の形状とされている。図１，２では、一例として各セル３４内に走査電極１４が１本、データ電極２０が３本ずつ配置された構成、すなわち１セル当たり１×３画素の構成としているが、これに限られるものではない。
【００２３】
ところで、図１（Ａ）に示すように、３個のデータ電極２０のうち中央のデータ電極２０は、円弧状にくぼんだ凹部を備えた突起部２０Ａを備えた形状となっている。このため、この突起部２０Ａの凹部に粒子が集まりやすくなっている。なお、突起部２０Ａに凹部を設けた構成とするのではなく、突起部２０Ａを設けずに、データ電極２０が円弧状にくぼんだ凹部を備えただけの構成としてもよい。
【００２４】
また、突起部を設けるデータ電極２０は、中央の画素に限らず他の画素でもよい。本実施形態では、突起部は一つのセルにつき一つのデータ電極２０に設けられた構成としているが、粒子が移動するのに十分な空間を基板間に確保することを条件として、一つのセルにつき複数のデータ電極２０に設けても良いし、全てのデータ電極２０に設けても良い。
【００２５】
なお、図１、２においては、説明の簡略化のために６行×６列の単純マトリックス構造の電極配置としているが、実際には、画像表示に必要な画素数に対応した本数の電極が各基板に形成されることはいうまでもない。すなわち、ｍ行×ｎ列分の画素が必要であれば、ｍ本の走査電極１４が基板１２上に形成され、ｎ本のデータ電極２０が基板２６上に形成される。
【００２６】
また、本実施の形態では、表示基板側に走査電極１４が、背面基板側にデータ電極２０が設けられた構成としているが、これとは逆に、表示基板側にデータ電極２０が、背面基板側に走査電極１４が形成された構成としてもよい。
【００２７】
また、走査電極１４及びデータ電極２０は、表示基板１８と背面基板２８とが対向する側の面ではなく、これと反対側の面にそれぞれ形成されていてもよく、表示基板１８及び背面基板２８の外側に別個独立にそれぞれ配置されていてもよい。また、電極を画像表示媒体と別個独立に設ける場合には、基板を誘電性を有する部材で構成することにより、基板間に電界を形成させることができる。
【００２８】
また、本実施形態では、黒色粒子３０が正に帯電し、白色粒子３２が負に帯電された構成としているが、黒色粒子３０が負に帯電し、白色粒子３２が正に帯電された構成でもよい。各粒子は、例えば絶縁性粒子や導電性粒子等を用いることができる。
【００２９】
なお、画像表示媒体１０を構成する各部材は、例えば特開２００１−３１２２５号公報に記載されたものを用いることができる。
【００３０】
このような画像表示媒体１０では、少なくとも粒子を移動させることができる電位差を基板間に発生させるのに必要な電圧であって、必要な濃度が確保できる所定電圧（例えば±１４０Ｖ）が走査電極１４とデータ電極２０との電極間に印加されると、その位置の黒色粒子３０及び白色粒子３２が基板間を移動する。例えば、データ電極２０に対して走査電極１４の電位が正となる所定電圧（例えば＋１４０Ｖ）がその電極間に印加された場合には、表示基板１８側の正に帯電した黒色粒子３０は背面基板２８側へ移動すると共に背面基板２８側の負に帯電した白色粒子３２は表示基板１８側へ移動し、白表示される。
【００３１】
一方、データ電極２０に対して走査電極１４の電位が負となる所定電圧（例えば−１４０Ｖ）がその電極間に印加された場合には、表示基板１８側の負に帯電した白色粒子３２は背面基板２８側へ移動すると共に背面基板２８側の正に帯電した黒色粒子３０は表示基板１８側へ移動し、黒表示される。
【００３２】
従って、粒子を移動させるべき画素に対応した位置のデータ電極２０と走査電極１４との間に正又は負の所定電圧を印加することにより、画像に応じて粒子が移動し、画像を表示させることができる。なお、電圧の印加が停止された後も、ファンデルワース力や鏡像力等により黒色粒子３０又は白色粒子３２は表示基板１８又は背面基板２８に付着したままとなり、画像表示は維持される。
【００３３】
本実施形態では、一例として、画像表示媒体１０の濃度特性が図３（Ａ）、（Ｂ）に示すような特性の場合について説明する。すなわち、データ電極２０に対して走査電極１４に印加される電圧を−１４０Ｖ又は１４０Ｖとすることにより、黒色粒子３０又は白色粒子３２が表示基板１８側へ移動して十分な濃度を得ることができると共に、データ電極２０に対して走査電極１４に印加される電圧を−７０Ｖ又は７０Ｖとすることにより、粒子の移動を禁止することができる特性である。なお、同図では、印加電圧のパルス幅が１０ｍｓｅｃ、パルス数が１の場合について示した。
【００３４】
走査電極１４及びデータ電極２０に印加する黒表示用のＯＮ電圧及びＯＦＦ電圧、すなわち黒色粒子３０を表示基板１８側へ移動させる際に各電極に印加する電圧の値については、様々な値を設定することができるが、本実施形態では、図４（Ａ）に示すように、走査電極１４に印加する第１の走査電極用ＯＮ電圧を−７０Ｖに、データ電極２０に印加する第１のデータ電極用ＯＮ電圧を＋７０Ｖに、走査電極１４及びデータ電極２０に印加するＯＦＦ電圧を０Ｖにそれぞれ設定する。
【００３５】
同様に、走査電極１４及びデータ電極２０に印加する白表示用のＯＮ電圧及びＯＦＦ電圧、すなわち白色粒子３２を表示基板１８側へ移動させる際に各電極に印加する電圧の値については、様々な値を設定することができるが、本実施形態では、走査電極１４に印加する第２の走査電極用ＯＮ電圧を、第１の走査電極用ＯＮ電圧と逆極性の＋７０Ｖに、データ電極２０に印加する第２のデータ電極用ＯＮ電圧を、第１のデータ電極用ＯＮ電圧と逆極性の−７０Ｖに、ＯＦＦ電圧は黒表示用のＯＦＦ電圧と同様の０Ｖにそれぞれ設定する。
【００３６】
上記のように黒表示用のＯＮ電圧及びＯＦＦ電圧を設定した場合において、同図（Ｂ）に示すように、走査電極１４及びデータ電極２０の両方に黒表示用のＯＮ電圧が印加された場合、そのデータ電極２０に対する走査電極１４への印加電圧は−１４０Ｖとなり、その画素（画像部）の黒色粒子３０が表示基板１８側へ移動する。
【００３７】
また、走査電極１４に第１の走査電極用ＯＮ電圧、データ電極２０にＯＦＦ電圧が印加された場合、そのデータ電極２０に対する走査電極１４への印加電圧は−７０Ｖとなり、その画素（非画像部）の粒子は移動しない。同様に、走査電極１４にＯＦＦ電圧、データ電極２０に第１のデータ電極用ＯＮ電圧が印加された場合、そのデータ電極２０に対する走査電極１４への印加電圧は−７０Ｖとなり、その画素の粒子は移動せず、走査電極１４にＯＦＦ電圧、データ電極２０にＯＦＦ電圧が印加された場合、そのデータ電極２０に対する走査電極１４への印加電圧は０Ｖとなり、その画素の粒子は移動しない。なお、白表示の場合も極性が反転するだけで黒表示の場合と同様である。
【００３８】
また、セル３４内の粒子の配置、すなわち粒子密度を均一化させると共に最終的に白表示とする初期化駆動を行う場合には、走査電極１４とデータ電極２０との間に初期化駆動電圧としての交番電圧を印加する。例えば、第１の走査電極用初期化電圧を１４０Ｖ、第２の走査電極用初期化電圧を０Ｖとして、これらを所定パルス幅で走査電極１４に交互に印加すると共に、これに同期して、第１のデータ電極用初期化電圧を０Ｖ、第２のデータ電極用初期化電圧を１４０Ｖとして、これらを前記所定パルス幅でデータ電極２０に交互に印加する。これにより、走査電極１４とデータ電極２０との間に交番電圧が印加される。
【００３９】
そして、これを所定パルス数分実行し、最後に白表示とするために、走査電極１４に第１の走査電極用初期化電圧を、データ電極２０に第１のデータ電極用初期化電圧を印加する。この際、前記所定パルス幅より長めのパルス幅で印加すると、より濃度が安定した白表示を行うことができるため好ましい。なお、所定パルス数は、粒子の配置を十分に均一化させることができる数に設定される。
【００４０】
図５には、画像データに基づいて、画像表示媒体１０に画像を表示するための駆動装置４０の概略構成を示した。
【００４１】
駆動装置４０は、走査電極駆動回路４２、データ電極駆動回路４４、電源回路４６、４８、及び制御装置５０を含んで構成されている。
【００４２】
走査電極駆動回路４２は、各走査電極１４とそれぞれ接続され、電源回路４６から供給される各種の電圧、すなわち第１の走査電極用初期化電圧及び第２の走査電極用初期化電圧、第１の走査電極用ＯＮ電圧及び第２の走査電極用ＯＮ電圧、ＯＦＦ電圧等を、制御装置５０の指示に従って各走査電極１４に各々印加する。
【００４３】
データ電極駆動回路４４は、各データ電極２０とそれぞれ接続され、電源回路４８から供給される各種の電圧、すなわち第１のデータ電極用初期化電圧及び第２のデータ電極用初期化電圧、第１のデータ電極用ＯＮ電圧及び第２のデータ電極用ＯＮ電圧、ＯＦＦ電圧等を、制御装置５０の指示に従って各データ電極２０に各々印加する。
【００４４】
走査電極駆動回路４２は、各走査電極１４とそれぞれ接続され、電源回路４６から供給される各種の電圧を、制御装置５０の指示に従って各走査電極１４に各々印加する。
【００４５】
データ電極駆動回路４４は、各データ電極２０とそれぞれ接続され、電源回路４８から供給される各種の電圧を、制御装置５０の指示に従って各データ電極２０に各々印加する。
【００４６】
制御装置５０には、画像表示媒体１０に表示させるべき画像に応じた画像データが入力される。制御装置５０は、入力された画像データに基づいて、走査対象の走査電極１４の行番号を指定するための行番号指定信号及び印加電圧の種類を指定するための走査電極用電圧指定信号を走査電極駆動回路４２に出力すると共に、その行番号指定信号により指定された走査電極１４に対応するライン画像に基づいて所定の電圧を印加すべきデータ電極２０の列番号を指定するための列番号指定信号及び前記所定の電圧の種類を指定するためのデータ電極用電圧指定信号を、データ電極駆動回路４４に出力する。
【００４７】
走査電極駆動回路４２は、制御装置５０から行電極指定信号によって指定された行の走査電極１４に対して、走査電極用電圧指定信号で指定された種類の電圧を印加すると共に、行番号指定信号によって指定された走査電極１４以外の走査電極１４に対してＯＦＦ電圧を印加する。
【００４８】
データ電極駆動回路４４は、制御装置５０から列番号指定信号によって指定された列のデータ電極２０に対して、データ電極用電圧指定信号で指定された種類の電圧を印加すると共に、列番号指定信号によって指定されたデータ電極２０以外のデータ電極２０に対してＯＦＦ電圧を印加する。
【００４９】
次に、制御装置５０で実行される画像表示駆動の電圧印加シーケンスについて説明する。
【００５０】
まず、制御装置５０は、画像表示媒体１０を初期化する。すなわち、粒子を均一化すると共に全面白表示とするべく、全ての走査電極１４及びデータ電極２０に位相が１８０度異なる所定パルス数のパルス電圧が各々印加されるように、かつ最後に走査電極１４に第１の走査電極用初期化電圧が、データ電極２０に第１のデータ電極用初期化電圧が印加されるよう走査電極駆動回路４２及びデータ電極駆動回路４４に指示する。これにより、基板間の粒子が均一化されて、最後に全ての白色粒子３２が表示基板１８側へ移動すると共に、全ての黒色粒子３０が背面基板２８側に移動し、全面白表示となる。
【００５１】
次に、制御装置５０は、１行目の走査電極１４を指定するための行番号指定信号及び黒表示用である第１の走査電極用ＯＮ電圧を指定するための走査電極用電圧指定信号を走査電極駆動回路４２に出力すると共に、１行目の黒表示すべき画素に対応するデータ電極２０を指定するための列番号指定信号及び黒表示用である第１のデータ電極用ＯＮ電圧を指定するためのデータ電極用電圧指定信号をデータ電極駆動回路４４に出力する。
【００５２】
これにより、１行目の走査電極１４に第１の走査電極用ＯＮ電圧が、１行目の黒表示すべき画素に対応するデータ電極２０に第１のデータ電極用ＯＮ電圧が印加され、その画素が黒表示される。また、これ以外の電極についてはＯＦＦ電圧が印加される。
【００５３】
そして、２行目以降についても上記と同様の処理を繰り返すことにより、順次ライン画像が表示され、画像を表示させることができる。
【００５４】
ところで、前述したように、図１（Ａ）に示す中央のデータ電極２０は、円弧状にくぼんだ凹部を備えた突起部２０Ａを備えた形状となっているため、突起部２０Ａの凹部に粒子が集まりやすい。これは換言すれば、それだけ移動しやすい粒子、すなわち応答性が良好な粒子が突起部２０Ａの凹部に存在している確率が高いといえる。さらに、突起している分だけ基板間（電極間）の距離が短くなっている。電界の強さは基板間の距離に反比例し、基板間の距離が短いほど電界は強くなるため、中央の画素の基板間に生じる電界は、これに隣接する画素の基板間に生じる電界よりも強くなる。従って、中央のデータ電極２０と走査電極１４との間にＯＮ電圧が印加された場合、突起部２０Ａの凹部に集まった粒子の応答性を良好にすることができる。この結果、応答性の良好な粒子が基板間を活発に移動して他の動きにくい粒子と衝突することにより、連鎖的に粒子の衝突が発生し、全体の粒子の応答性を良好にすることができる。このため、画素欠陥を防ぐことができる。
【００５５】
なお、電極に突起部を設けるのではなく、図１（Ｂ）に示すように、絶縁層２４を円弧状にくぼんだ凹部を備えた突起部２４Ａを備えた形状としてもよい。また、基板２６自体が突起した形状としてもよい。この場合、製造工程では基板２６上にデータ電極２０が形成され、さらに絶縁層２４が形成され、結果的にデータ電極２０及び絶縁層２４も円弧状にくぼんだ形状となる。また、突起部の凹部は円弧状に限らず、粒子が集まりやすい形状であればどのような形状でもよい。
【００５６】
また、図１（Ｃ）に示すように、中央のデータ電極２０上の絶縁層２４に平面状の突起部２４Ｂが設けられた構成としてもよい。この場合、中央の画素の基板間の距離が短くなり、他の画素の領域よりも電界が強くなる。従って、中央のデータ電極２０と走査電極１４との間にＯＮ電圧が印加された場合、突起部２４Ｂ上の粒子が基板間を活発に移動して他の動きにくい粒子と衝突することにより、連鎖的に粒子の衝突が発生し、全体の粒子の応答性を良好にすることができる。このため、画素欠陥を防ぐことができる。
【００５７】
なお、突起部２４Ａの形状は平面状でなくてもよく、基板間の距離を短くすることができるものであればどのような形状でもよい。
【００５８】
また、絶縁層２４に突起部を設けるのではなく、データ電極２０又は基板２６自体に突起部を設けるようにしてもよい。また、粒子が移動するのに十分な空間を基板間に確保できるのであれば、一つのセルにつき複数の突起部を設けても良い。
【００５９】
また、図１（Ｄ）に示すように、中央の画素のデータ電極２０を２つに分割し、分割データ電極２０Ｂ、２０Ｃとした構成としてもよい。なお、分割データ電極２０Ｂ、２０Ｃの両方で一つの画素分であり、画像表示駆動においては各分割データ電極には同一の電圧を印加する。
【００６０】
このようにデータ電極２０を分割した構成の場合、前述した画像表示駆動を実行する前に、分割データ電極２０Ｂとこれと左側に隣接するデータ電極２０との間、分割データ電極２０Ｃとこれと右側に隣接するデータ電極２０との間に、粒子を移動させることができる交番電圧を印加する。なお、データ電極２０を２つに分割することで、分割データ電極２０Ｂとこれと左側に隣接するデータ電極２０との間、分割データ電極２０Ｃとこれと右側に隣接するデータ電極２０との間に同時に交番電圧を印加することができ、電圧印加時間を短縮することができる。
【００６１】
このように各電極間に交番電圧を印加することにより、各電極間で粒子が移動して衝突し、応答性の良い粒子を増加させることができる。このため、その後に画像表示駆動を行った際に画素欠陥が発生するのを防ぐことができる。
【００６２】
なお、本実施形態では、電極の配置が単純マトリクス構造の画像表示媒体に画像を表示させる場合について説明したが、例えば電極の配置がアクティブマトリクス構造の画像表示媒体であっても、本発明を適用可能である。
【図面の簡単な説明】
【００６３】
【図１】画像表示媒体の断面図である。
【図２】電極の配置及び間隙部材の形状を示す平面図である。
【図３】（Ａ）は白表示から黒表示するときの濃度特性を示す線図、（Ｂ）は黒表示か
【図４】（Ａ）は各電極に印加するＯＮ電圧及びＯＦＦ電圧について説明するための図、（Ｂ）は、各電極にＯＮ電圧又はＯＦＦ電圧を印加したときの各位置に印加される電圧について説明するための図である。
【図５】画像表示装置の概略構成図である。
【符号の説明】
【００６４】
１０      画像表示媒体
１４      走査電極
１６      絶縁層
１８      表示基板
２０      データ電極
２０Ａ      突起部（防止手段）
２０Ｂ，２０Ｃ      分割データ電極（防止手段）
２２      着色層
２４      絶縁層
２４Ａ      突起部（防止手段）
２４Ｂ      突起部（防止手段）
２８      背面基板
３０      黒色粒子
３２      白色粒子
３４      セル
３６      間隙部材
４０      駆動装置
４２      走査電極駆動回路
４４      データ電極駆動回路
４６、４８      電源回路
５０      制御装置
【図１】
2006349767.tif 000003
【図２】
2006349767.tif 000004
【図３】
2006349767.tif 000005
【図４】
2006349767.tif 000006
【図５】
2006349767.tif 000007